(57)【要約】【課題】ナースコール用押しボタンスイッチがベッドから落ちて、重症者は看護師に知らせる手段を失ってしまうので非常に危険である。【解決手段】一般患者用に設定した場合には押しボタン１１を押すと呼出スイッチ３が閉となってナースコール信号を出力し、重症者用に設定した場合には押しボタン１１を押すと呼出スイッチ３が閉となってナースコール信号を出力し、かつ、衝撃を受けると自動的に半導体スイッチ８が閉となってナースコール信号を出力するナースコール用押しボタンスイッチであって、呼出スイッチ３と並列に半導体スイッチ８を設け、衝撃を感知する衝撃センサ５と、衝撃センサ５からの出力を増幅してパルスに変換するパルス変換回路６と、パルス変換回路６からの出力を整形するフリップフロップ回路７からなる半導体スイッチ制御部２と、半導体スイッチ制御部２への供給電圧Ｖｃｃを閉／開する切替スイッチ４とを設けている。【選択図】　　　　図１
2004141286.tif 000002
【特許請求の範囲】
【請求項１】
一般患者用に設定した場合には押しボタン（１１）を押すと呼出スイッチ（３）が閉となってナースコール信号を出力し、
重症者用に設定した場合には押しボタン（１１）を押した時と同様に一定以上の衝撃を受けた時にもナースコール信号を出力するナースコール用押しボタンスイッチであって、
呼出スイッチ（３）と並列に半導体スイッチ（８）を設け、
一定以上の衝撃を感知する衝撃センサ（５）と、衝撃センサ（５）からの出力を増幅してパルスに変換するパルス変換回路（６）と、パルス変換回路（６）からの出力を整形するフリップフロップ回路（７）とからなる半導体スイッチ制御部（２）と、半導体スイッチ制御部（２）への供給電圧（Ｖｃｃ）を閉／開する切替スイッチ（４）とを設けたことを特徴とするナースコール用押しボタンスイッチ。
【請求項２】
一般患者用の設定は押しボタン（１１）の上面とケース上（１２）の上面を一致させることにより切替スイッチ（４）を開とし、
重症者用の設定は押しボタン（１１）の上面がケース上（１２）の上面より出た状態にすることにより切替スイッチ（４）を閉にするように構成したことを特徴とする請求項１に記載のナースコール用押しボタンスイッチ。
【発明の詳細な説明】
【０００１】
【発明の属する技術分野】
本発明は、病床で使用されるナースコール用押しボタンスイッチに関し、特に重症者が病床から落とした場合には自動的にナースコール信号が出力されるナースコール用押しボタンスイッチに関する。
【０００２】
【従来の技術】
図３は、従来例におけるナースコール用押しボタンスイッチの構成を示す分解斜視図である。図において、１１はナースコールの際に押す押しボタン、２１は押しボタン１１を復帰させるコイルスプリングＡ、１２はケース上、２２は接片２３の受台である接片受台、２４は接片２３を上方に付勢するコイルスプリングＢ、２５は平ワッシャ、２６は押しボタン１１の心棒の溝にはめ込まれるＥリング、２７は端子、２８はタッピングビスである。押しボタン１１を押すと２つの端子２７は接片２３によって短絡される。
【０００３】
【発明が解決しようとする課題】
ナースコール用押しボタンスイッチは患者が何時でも使えるようにベッド上の患者の近傍に置いてある。
しかし、ナースコール用押しボタンスイッチはベッドを動かしたり患者がベッド上で動いたときにベッドから落ちてしまうことがある。
重症者でなければ（一般患者）ベッドから降りて自分で拾い上げられるが、重症者の場合は寝たままであるために、看護師に知らせる手段を失ってしまい非常に危険な場合がある、という問題があった。
【０００４】
本発明はこのような点に鑑みてなされたものであり、重症者が使用しているナースコール用押しボタンスイッチがベッドから落ちたときに加わる衝撃によって自動的に押しボタンを押した状態と同じようにナースコール信号を出力するナースコール用押しボタンスイッチを提供することを目的とする。
【０００５】
【課題を解決するための手段】
上記課題を解決するために本発明のナースコール用押しボタンスイッチは、一般患者用に設定した場合には押しボタン１１を押すと呼出スイッチ３が閉となってナースコール信号を出力し、重症者用に設定した場合には押しボタン１１を押した時と同様に一定以上の衝撃を受けた時にもナースコール信号を出力するナースコール用押しボタンスイッチであって、呼出スイッチ３と並列に半導体スイッチ８を設け、一定以上の衝撃を感知する衝撃センサ５と、衝撃センサ５からの出力を増幅してパルスに変換するパルス変換回路６と、パルス変換回路６からの出力を整形するフリップフロップ回路７とからなる半導体スイッチ制御部２と、半導体スイッチ制御部２への供給電圧Ｖｃｃを閉／開する切替スイッチ４とを設けたことに特徴を有している。
【０００６】
また、本発明のナースコール用押しボタンスイッチは、一般患者用の設定は押しボタン１１の上面とケース上１２の上面を一致させることにより切替スイッチ４を開とし、重症者用の設定は押しボタン１１の上面がケース上１２の上面より出た状態にすることにより切替スイッチ４を閉にするように構成したことに特徴を有している。
【０００７】
【発明の実施の形態】
本発明のナースコール用押しボタンスイッチは、ベッドから落ちたときに加わる衝撃によって自動的に押しボタンを押した状態と同じようにナースコール信号を出力する。ナースコール用押しボタンスイッチに衝撃センサ５を入れて、その出力を利用して呼出スイッチ３に並列接続されている半導体スイッチ８を制御する。
押しボタン１１の押す部分を一般患者用に周囲と同一面にした時は衝撃センサ５が動作してもナースコール信号が出ないようにし、押しボタン１１の押す部分を重症者用に周囲から出た状態にした時は衝撃センサ５が動作した時にナースコール信号が出るようにしている。
【０００８】
【実施例】
以下、本発明の一実施例を図面に基づいて説明する。図１は、本発明の一実施例であるナースコール用押しボタンスイッチの回路ブロック図である。図において、ナースコール用押しボタンスイッチは供給電圧端子，信号出力端子，アース端子を備えている。呼出スイッチ３は押しボタン１１が押下されると閉となり、看護師を呼び出すナースコール信号が信号出力端子から出力される。
【０００９】
半導体スイッチ８は呼出スイッチ３と並列接続されており、半導体スイッチ制御部２からの制御により閉となると看護師を呼び出すナースコール信号が信号出力端子から出力される。この半導体スイッチ制御部２は衝撃センサ５，パルス変換回路６，フリップフロップ回路７から構成されている。
【００１０】
衝撃センサ５は圧電素子を用いた振動体からなり、一定以上の衝撃により発生する交流電圧を出力する。パルス変換回路６はこの交流電圧を増幅してパルスに変換する。フリップフロップ回路７はこのパルスをトリガとした出力パルスで半導体スイッチ８を閉にし、看護師を呼び出すナースコール信号を信号出力端子から出力する。半導体スイッチ制御部２に供給する供給電圧Ｖｃｃは切替スイッチ４によって接／断される。また、閉になった半導体スイッチ８の復帰は供給電圧Ｖｃｃを断にすることにより行われる。
【００１１】
図２は、本発明の一実施例であるナースコール用押しボタンスイッチの使用形態を示す外観図であり、（ａ）は一般患者使用形態、（ｂ）は重症者使用形態である。一般患者使用形態では押しボタン１１の上面はケース上１２の上面と同じ面上にある。すなわち、押しボタン１１を下げた状態で使用する。また、例では、押しボタン１１の上面の彫刻は縦に配置されている。３ｐのプラグ１５は丸コード１４を介してケース下１３に接続されている。
【００１２】
重症者使用形態では押しボタン１１の上面はケース上１２の上面からｔだけ突き出ている。一般患者使用形態から彫刻の下側に設けた小孔１６にシャープペンシル等の先の細いものを差し込んで右に９０度回転させると押しボタン１１は突き出てくる。すなわち、押しボタン１１を突き出して使用する。右に９０度回転させて押しボタン１１をｔだけ突き出すと、切替スイッチ４は閉となりＶｃｃが半導体スイッチ制御部２に印加される。
【００１３】
【発明の効果】
以上説明したように、本発明のナースコール用押しボタンスイッチでは、一般患者用に設定した場合には押しボタン１１を押すと呼出スイッチ３が閉となってナースコール信号を出力し、重症者用に設定した場合には押しボタン１１を押した時と同様に一定以上の衝撃を受けた時にもナースコール信号を出力するナースコール用押しボタンスイッチであって、呼出スイッチ３と並列に半導体スイッチ８を設け、一定以上の衝撃を感知する衝撃センサ５と、衝撃センサ５からの出力を増幅してパルスに変換するパルス変換回路６と、パルス変換回路６からの出力を整形するフリップフロップ回路７とからなる半導体スイッチ制御部２と、半導体スイッチ制御部２への供給電圧Ｖｃｃを閉／開する切替スイッチ４とを設けたので、
また、一般患者用の設定は押しボタン１１の上面とケース上１２の上面を一致させることにより切替スイッチ４を開とし、重症者用の設定は押しボタン１１の上面がケース上１２の上面より出た状態にすることにより切替スイッチ４を閉にするように構成したので、
寝たきりの重症者であってもナースコール用押しボタンスイッチがベッドから落ちても看護師に知らせる手段が確保されており、危険な状態をまねくことがない。
【図面の簡単な説明】
【図１】本発明の一実施例であるナースコール用押しボタンスイッチの回路ブロック図である。
【図２】本発明の一実施例であるナースコール用押しボタンスイッチの使用形態を示す外観図であり、（ａ）は一般患者使用形態、（ｂ）は重症者使用形態である。
【図３】従来例におけるナースコール用押しボタンスイッチの構成を示す分解斜視図である。
【符号の説明】
１　ナースコール用押しボタンスイッチ
２　半導体スイッチ制御部
３　呼出スイッチ
４　切替スイッチ
５　衝撃センサ
６　パルス変換回路
７　フリップフロップ回路
８　半導体スイッチ
１１　押しボタン
１２　ケース上
１３　ケース下
１４　丸コード
１５　プラグ
１６　小孔
２１　コイルスプリングＡ
２２　接片受台
２３　接片
２４　コイルスプリングＢ
２５　平ワッシャ
２６　Ｅリング
２７　端子
２８　タッピングビス
【図１】
2004141286.tif 000003
【図２】
2004141286.tif 000004
【図３】
2004141286.tif 000005